(57)【特許請求の範囲】
【請求項１】
重量で、C0.05〜0.30％、Si0.50％以下、Mn0.60％以下、Cr8.0〜13.0％、Ni0.5〜3.0％、Mo1.0〜3.0％、W0.1〜1.5％、Co 0.5〜4％、V0.20〜0.35％ 、Nb及びTaの１種又は２種の合計量が0.08〜0.30％、及びN0.052〜0.10％を含み、（Ni量とCo量の差）の2乗で示される値が1.8以下であり、前記（Ni量とCo量の差）の2乗で示される値とNi量とが両者の関係を示す直交座標の点Ａ（1.0、2.7％）及び点Ｂ（2.5、1.0％）の各点を直線で結んで得られる値以下及び{Mo量/(Mo量+0.5W量)}で示される値が0.5以上であり、残部がFe及び不可避的不純物からなるマルテンサイト鋼からなることを特徴とする耐熱鋼。
【請求項２】
請求項１において、重量で、Re2％以下及びB0.001〜0.015％の少なくとも一方を含むことを特徴とする耐熱鋼。
【請求項３】
タービンスタブシャフトと、該シャフトにタービンスタッキングボルトによって互いにタービンスペーサを介して連結された複数個のタービンディスクと、該ディスクに植込まれ燃焼器によって発生した高温の燃焼ガスによって回転するタービンブレードと、前記ディスクに連結されたディスタントピースと、該ディスタントピースに連結された複数個のコンプレッサロータと、該ロータに植込まれ空気を圧縮するコンプレッサブレードと、前記コンプレッサロータに連結されたコンプレッサスタブシャフトを備えたガスタービンにおいて、前記タービンディスクと、ディスタントピース、タービンスペーサ、コンプレッサディスクの最終段及びタービンスタッキングボルトの少なくとも１つとが、請求項１に記載の耐熱鋼からなることを特徴とするガスタービン。
【請求項４】
円盤状部材で、該円盤状部材の円周部にタービンブレードの植え込み部と、複数の前記円盤状部材をスタッキングボルトによって一体に締結する複数の前記ボルトの挿入用孔とを有し、請求項１に記載の耐熱鋼からなることを特徴とするガスタービン用ディスク。
【請求項５】
円筒状部材で、該部材の両端部に設けられた突出部と、該突出部の一方に前記円筒状部材をタービンディスクにスタッキングボルトによって一体に締結する複数の前記ボルトの挿入用孔と、前記突出部の他方に前記円筒状部材をコンプレッサディスクにスタッキングボルトによって一体に締結する複数の前記ボルトの挿入用孔とを有し、請求項１に記載の耐熱鋼からなることを特徴とするガスタービンディスタントピース。
【請求項６】
円盤状部材で、該円盤状部材の円周部にコンプレッサブレードの植え込み部と、複数の前記円盤状部材をスタッキングボルトによって一体に締結する複数の前記ボルトの挿入用孔とを有し、請求項１に記載の耐熱鋼からなることを特徴とするガスタービンコンプレッサディスク。
【請求項７】
棒状部材で、その一端にネジ部と、他端に角状頭部とを有し、請求項１に記載の耐熱鋼からなることを特徴とするガスタービンスタッキングボルト。
【発明の詳細な説明】
【０００１】
【発明の属する技術分野】
本発明は新規な耐熱鋼とそれを用いたガスタービン及びその各種部材に関する。
【０００２】
【従来の技術】
【特許文献１】
特開２００１−４９３９８号公報
【特許文献２】
特開平１１−２０９８５１号公報
【特許文献３】
ＰCＴ／ＪＰ９７／０４６０９号公報
【特許文献４】
特開２００１−４９３９８号公報
【特許文献５】
特開平１０−２５１８０９号公報
現在、ガスタービン用ディスクには、Cr−Mo−V鋼、１２Cr−Mo−Ni−V−N鋼が使用されている。近年、省エネルギーの観点からガスタービンの熱効率の向上が望まれている。高効率発電をすることで化石燃料の節約、排出ガスの発生量を抑えることが可能となり、地球環境保全に貢献できる。熱効率を向上させるにはガス温度及び圧力を上げるのが最も有効な手段である。ガス温度を1300℃級から1500℃級に高めることにより、大幅な効率向上が期待できる。また、燃焼温度の上昇を伴わない場合でも、部材の冷却に使用している圧縮空気量の一部を削減することにより、効率向上が期待できる。
【０００３】
しかし、これらの高温・高圧化にともない、従来のCr−Mo−V鋼、１２Cr−Mo−Ni−V−N鋼では強度不足で、より強度の高い材料が必要である。強度としては、高温特性を最も大きく左右するクリープ破断強度が要求される。またガスタービンディスクではクリープ強度と共に高引張強さ、高靭性も要求され、特に高温で使用中に生ずる脆化を抑制しなければならない。
【０００４】
クリープ破断強度が高い構造材料としては、オーステナイト鋼、Ni基合金、Co基合金、マルテンサイト鋼等が一般に知られている。熱間加工性、切削性及び振動減衰特性の点でNi基合金及びCo基合金は望ましくない。また、オーステナイト鋼は400〜450℃付近の強度がそれほど高くないこと、更にガスタービン全体システムから望ましくない。一方、マルテンサイト鋼は他の構成部品とのマッチングが良く、高温強度も十分である。
【０００５】
【特許文献１】には高低圧一体型の蒸気タービンロータとして高強度及び高靭性の耐熱鋼が開示されている。又、【特許文献２】、【特許文献３】、【特許文献４】及び【特許文献５】にはガスタービンディスク材用の耐熱鋼が開示されている。
【０００６】
【発明が解決しようとする課題】
しかし、これらの公報に記載の耐熱鋼ではガスタービンディスクに要求される高クリープ破断強度、高引張強度、高靭性、低脆化の特性等の内、特に高クリープ破断強度及び低脆化の特性を同時に満足できず、より高効率のガスタービンディスクとしては十分でない。ガスタービンの高温・高圧化に対して従来の単に強度の高い材料を用いるだけではガス温度の更なる上昇は出来ない。また、高温部を大量の冷却空気等によって冷却することによりガス温度の更なる上昇が期待できるが、熱効率が著しく低下する。そのため熱効率の低下を防ぐには冷却空気の削減が必要となるが、上述の高い材料特性が得られなければその削減ができない。そして一般に高温強度を向上させると靱性が低下するので、両者を同時に達成することが困難である。
【０００７】
本発明の目的は、より高温度に対応できる高クリープ破断強度と高温長時間加熱後においても高い靭性を有する耐熱鋼とそれを用いたガスタービン及びその各種部材を提供することにある。
【０００８】
【課題を解決するための手段】
本発明は、重量で、C0.05〜0.30％、Si0.50％以下、Mn0.60％以下、Cr8.0〜13.0％、Ni0.5〜3.0％、Mo1.0〜3.0％、W0.1〜1.5％、Co 0.5〜4％、V0.20〜0.35％ 、Nb及びTaの１種又は２種の合計量が0.08〜0.30％、及びN0.052〜0.10％を含み、（Ni量とCo量の差）の2乗で示される値は1.8以下であり、前記（Ni量とCo量の差）の2乗で示される値とNi量とが直交座標の点Ａ（1.0、2.7％）及び点Ｂ（2.5、1.0％）の各点を直線で結んで得られる値以下及び{Mo量/（Mo量+0.5W量）}で求められる値が0.5以上であり、残部がFe及び不可避的不純物からなるマルテンサイト鋼からなることを特徴とする耐熱鋼にある。
【０００９】
更に、本発明は、前述の組成において、Mn量と（W量／Mo量）比とが直交座標の点Ｃ（0.15％、1.3）及び点Ｄ（0.37％、2.5）の各点を直線で結んで得られる値以下とすること、又、{Mo量/（Mo量+0.5W量）}で求められる値とMn量とが直交座標の点Ｅ（0.25、0.4％）及び点Ｆ(0.7、0.15％)の各点を直線で結んで得られる値以上とすることが好ましい。
【００１０】
本発明は、重量で、Re2％以下及びB0.001〜0.015％を少なくとも一種を含むことができる。又、重量で、Cu0.5％以下、Ti0.5％以下、Al0.2％以下、Zr0.1％以下、Hf0.1％以下、Ca0.01％以下、Mg0.01％以下、Y0.01％以下及び希土類元素0.01％以下の少なくとも一種を含むことができる。
【００１１】
本発明に係る耐熱鋼は、次式で計算されるCr当量が10以下になるように成分調整され、δフェライト相を実質的に含まないようにすることが好ましい。各元素は、耐熱鋼の含有量（重量％）である。
【００１２】
Cr当量＝Cr＋6Si＋4Mo＋1.5W＋11V＋5Nb−40C−30N−30B−2Mn−            4Ni−2Co＋2.5Ta
本発明においては、室温における引張強さが1180MPa以上、好ましくは1200MPa以上、510℃、105時間クリープ破断強度が420MPa以上、好ましくは430MPa以上、530℃で104時間加熱後の25℃Vノッチシャルピー衝撃値が19.6Ｊ／cm2以上であることが好ましい。
【００１３】
本発明は、タービンスタブシャフトと、該シャフトにタービンスタッキングボルトによって互いにタービンスペーサを介して連結された複数個のタービンディスクと、該ディスクに植込まれ、燃焼器によって発生した高温の燃焼ガスによって回転するタービンブレードと、前記ディスクに連結されたディスタントピースと、該ディスタントピースに連結された複数個のコンプレッサロータと、該ロータに植込まれ空気を圧縮するコンプレッサブレードと、前記コンプレッサロータに連結されたコンプレッサスタブシャフトを備えたガスタービンにおいて、前記タービンディスクと、ディスタントピース、タービンスペーサ、コンプレッサディスクの最終段及びタービンスタッキングボルトの少なくとも１つが、前述に記載の耐熱鋼からなるものである。
【００１４】
更に、本発明は、円盤状部材で、該円盤状部材の円周部にタービンブレードの植え込み部と、複数の前記円盤状部材をスタッキングボルトによって一体に締結する複数の前記ボルトの挿入用孔とを有し、前述に記載の組成及び特性を有する耐熱鋼からなることを特徴とするガスタービンディスクにある。尚、円盤状部材の円中心部には中心孔があってもよいし、なくてもよい。
【００１５】
ガスタービンディスクは高速回転による高い遠心応力と振動応力に耐えるため、引張強さが高いと同時に疲労強度が高くなければならない。そのためにガスタービンディスク材の金属組織は、有害なδフェライトが存在すると、疲労強度を著しく低下させるので、前述のCr当量が10以下になるように調整し、全焼戻しマルテンサイト組織とするのが好ましい。
【００１６】
本発明は、円筒状部材で、該部材の両端部に設けられた突出部と、該突出部の一方に前記円筒状部材をタービンディスクにスタッキングボルトによって一体に締結する複数の前記ボルトの挿入用孔と、前記突出部の他方に前記円筒状部材をコンプレッサディスクにスタッキングボルトによって一体に締結する複数の前記ボルトの挿入用孔とを有し、前述に記載の組成を有する耐熱鋼からなることを特徴とするガスタービン用ディスタントピースにあり、前述と同様の特性を有する耐熱鋼を用いることが好ましい。
【００１７】
本発明は、円盤状部材で、該円盤状部材の円周部にコンプレッサブレードの植え込み部と、前記複数の円盤状部材をスタッキングボルトによって一体に締結する複数の前記ボルトの挿入用孔とを有し、前述に記載の耐熱鋼からなることを特徴とするガスタービン用コンプレッサディスクにあり、前述と同様の特性を有する耐熱鋼を用いることが好ましい。
【００１８】
本発明は、棒状部材で、その一端にネジ部と、他端に角状頭部とを有し、前述に記載の耐熱鋼からなることを特徴とするガスタービン用スタッキングボルトにあり、前述と同様の特性を有する耐熱鋼を用いることが好ましい。
【００１９】
本発明の耐熱鋼の成分範囲限定理由について説明する。
【００２０】
Cは高い引張強さと耐力を得るために0.05％ 以上とする。しかし、0.30％を超えるC量では高温に長時間さらされた場合に金属組織が不安定になり、クリープ破断強度を低下させ、また靭性を低下させるので0.30％以下とする。特に、0.07〜0.23％が好ましく、より0.10〜0.20％が好ましい。
【００２１】
Siは脱酸剤、Mnは脱硫・脱酸剤で耐熱鋼の溶解の際に添加するものであり、少量でも効果がある。Siはδフェライト生成元素であり、多量の添加は、疲労及び靭性を低下させる有害なδフェライト生成の原因になるので、0.50％ 以下とする。なお、カーボン真空脱酸法及びエレクトロスラグ再溶解法などによればSi添加の必要がなく、Si無添加がよい。特に、0.10％ 以下が好ましく、より0.05％ 以下が好ましい。
【００２２】
少量のMn添加は靭性を向上するが多量の添加は靭性を低下させるので、0.60％以下とする。特に、Mnは脱硫剤として有効なので、靭性向上の点から0.30％以下が好ましく、特に0.25％以下、更により0.20％以下が好ましい。0.05％以上含有させることは靭性の点から好ましい。
【００２３】
Crは耐食性と引張強さを高めるが、13％を超える添加はδフェライト組織生成の原因になる。8％より少ないと耐食性と高温強度が不十分なので、Crは8〜13％とする。特に強度の点から10.0〜12.8％が好ましく、より10.5〜12.5％が好ましい。
【００２４】
Moは固溶強化及び炭化物・窒化物析出強化作用によってクリープ破断強度を高める効果がある。Moは1.0％以下ではクリープ破断強度向上効果が不十分であり、3％以上になるとδフェライト生成原因になるので1.0〜3.0％とする。特に、１.2〜2.7％が好ましく、より1.3〜2.5％が好ましい。
【００２５】
WもMoと同様の効果が有る。より高強度化のためにMoと同等の含有量まで含有させることができる。Wは0.1％以下ではクリープ破断強度向上効果が不十分であり、1.5％を超えると靭性が低下するので、0.1〜1.5％とする。特に0.2〜1.4％が好ましく、より0.3〜1.3％が好ましい。
【００２６】
Coはより高温での強度を高めるので、高温化に対応させて含有量を高めるのが好ましい。0.5％未満ではその効果が十分ではなく、4.0％を超えると加熱脆化を促進するので、4％を上限とする。特に、0.8〜3.5％が好ましい。
【００２７】
V及びNbは炭化物を析出し引張強さを高めると同時に靭性向上効果がある。V0.20％以下、Nb0.08％以下ではその効果が不十分であり、又、V0.35％以下 、Nb0.3％以下がδフェライト生成の抑制から好ましい。特に、Vは0.20〜0.30％、Nbは0.08〜0.22％、より0.10〜0.20％ が好ましい。Nbの代わりにTaを全く同様に添加でき、複合添加においても合計量で同様の含有量とすることができる。
【００２８】
Niは低温靭性を高めると共に、δフェライト生成の防止効果がある。この効果は、Ni0.5％以上が好ましく、3.0％ を越える添加で効果が飽和する。またNiの多量の添加はクリープ破断強度を下げる。特に、0.5〜2.5％が好ましく、より0.7〜2.3％が好ましい。
【００２９】
Nはクリープ破断強度の向上及びδフェライトの生成防止に効果があるが0.052％ 未満ではその効果が十分でなく、0.10％ を越えると靭性を低下させる。特に、0.052〜0.080％の範囲で優れた特性が得られる。
【００３０】
Reは固溶強化作用によってクリープ破断強度を高める効果がある。過剰な添加は脆化を促進するため2％以下の添加が好ましいが、Reは希少な元素であり、実用上から1.5％以下が好ましく、より1.2％以下が好ましい。
【００３１】
Bは粒界強度を高くする作用が有り、クリープ破断強度を高める効果がある。0.001％以下ではこの効果が不十分で、0.015％を越える添加で靱性が低下する。特に0.002〜0.008％が望ましい。
【００３２】
P及びSの低減は、クリープ破断強度を損なわず、低温靭性を高める効果があり、極力低減することが望ましい。低温靭性向上の点から、P0.015％以下、S0.015％以下が好ましい。特に、P0.010％以下、S0.010％ 以下が望ましい。
【００３３】
Sb、Sn及びAsの低減も、低温靭性を高める効果があり、極力低減することが望ましいが、現状製鋼技術レベルの点から、Sb0.0015％以下、Sn0.01％以下及びAs0.02％以下に限定した。特に、Sb0.001％ 以下、Sn0.005％及びAs0.01％以下が望ましい。
【００３４】
又、Ti、Zr、HfのＭC炭化物形成元素の少なくとも１種を合計で0.5％ 以下含むものが好ましい。Alは脱酸材及び結晶粒微細化材として0.0005％以上とし、0.2％を超えるとクリープ強度に有効に働く窒素を固着することにより、クリープ破断強度を下げるので、それ以下が良い。
【００３５】
本発明においては、NiとCoの添加バランスに着目した。その結果、（Ni量とCo量の差）の2乗で示される値を1.8以下とし、更に（Ni量とCo量の差）の2乗で示される値とNi量との関係で表わされる点Ａ（1.0、2.7％）及び点Ｂ（2.5、1.0％）の各点を直線で結んで得られる値以下及び{Mo量/（Mo量+0.5W量）}で求められる値を0.5以上とすることによって、前述の特性が得られるものである。特に、W量が1.5％以下において顕著である。更に、W量が1.5％を超えるものは前述の高いクリープ強度が得られるが、高温長時間加熱後において靭性が低下するので好ましくない。
【００３６】
即ち、マルテンサイト鋼の靭性に寄与する元素として、Ni及びCoが有る。Niは靭性を向上させる効果が有るが、クリープ強度を低下させる。Coはクリープ強度向上に効果が有るが、使用中の脆化を促進し、靭性を低下させる。従って、靭性及びクリープ強度を保ち、さらに加熱脆化を抑制するため、本発明はNi量とCo量の差がNiとCoの添加量の釣り合いを示す好ましいバランスを示す有効な指標であることを見出したものである。
【００３７】
更に、本発明は、（W量／Mo量）比との関係で表わされる値とMn量とを、点Ｃ（1.3、0.15％）及び点Ｄ（2.5、0.37％）の各点を直線で結んで得られる値以下とすることにより前述の高温長時間加熱後においても高い靭性が得られるものである。
【００３８】
又、本発明は、{Mo量/（Mo量+0.5W量）}で求められる値とMn量との関係で示される点Ｅ（0.25、0.4％）及び点Ｆ(0.7、0.15％) の各点を直線で結んで得られる値以上とすることにより特に前述の高温長時間加熱後においても高い靭性が得られるものである。
【００３９】
即ち、本発明においては、MoとWの添加についても両者の添加量の特定の比が好ましいバランスを示す有効な指標であることを見出した。マルテンサイト鋼の高温強度向上に寄与する元素として、Mo及びWは、それぞれ固溶強化元素として作用し、その効果はMo当量＝{Mo（％）+0.5W（％）}、又は（W量/Mo量）で表わされる。しかし、これらの元素は高温長時間加熱後において靭性を低下させるが、少量のMnにおいては高温長時間加熱後において靭性を高める重要な役目を有し、それぞれを前述のMn量との関係から特定の含有量で複合添加することでその効果が顕著に得られる。MoとWではそれらの効果が異なり、高温ではWの添加が強度向上により有効であるが、Wの比率が大きい場合は前述のように靭性が低下する傾向にある。
【００４０】
特に、600℃を超える使用環境下ではW添加が有効であるが、ガスタービンディスクはそれよりも使用温度が低く、高靭性が必要なため、本発明ではMo添加がより好ましく、従って {Mo量/（Mo量+0.5W量）}の値を0.5以上、好ましくは0.6〜0.95、より好ましくは0.75〜0.95とすることにより高温長時間加熱後においても高い靭性が得られるものである。
【００４１】
本発明材の熱処理は、まず完全なオーステナイトに変態するに十分な温度、最低1000℃、最高1150℃に均一加熱し、急冷し（好ましくは油冷または水噴霧）、次いで540〜600℃の温度に加熱保持・冷却し（第１次焼戻し）、次いで550〜650℃の温度に加熱保持・冷却（第２次焼戻し）を行い、全焼戻しマルテンサイト組織とするものが好ましい。第２次焼戻しは第１次焼戻し温度より高い温度とするものである。焼入れにあたっては、Ｍｆ点直上の温度に止めることが焼き割れを防止する点で好ましい。具体的温度は150℃以上に止めるのが良い。第１次焼戻しはその温度より加熱する。
【００４２】
【発明の実施の形態】
（実施例１）
表1はガスタービンディスク材に係る12％Cr耐熱鋼の化学組成（重量％）を示し、残部はＦｅである。各試料はそれぞれ150kg真空アーク溶解し、1150℃に加熱し鍛造して素材とした。この素材を1050℃で2時間の加熱後油冷し、560℃で5時間加熱後空冷の一次焼戻しを行い、次いで580℃で5時間加熱後炉冷の二次焼戻しを行った。熱処理後の素材からクリープ破断試験片、引張試験片及びVノッチシャルピー衝撃試験片を採取し実験に供した。衝撃試験は熱処理のままの材料と、530℃、10000時間加熱脆化材について行った。この脆化材はラルソン・ミラーのパラメータより510℃で10万時間加熱されたものと同等の条件である。
【００４３】
【表１】
0003921574.tif 000002
【００４４】
表2はこれら試料の機械的性質を示す。試料No.7〜13は本発明材であり、高温・高圧ガスタービンディスク材として要求される室温引張強さが1180MPa以上、510℃、105時間クリープ破断強度が420MPa以上、及び脆化処理後の25℃Vノッチシャルピー衝撃値が19.6J/cm2以上の値を示し、充分満足するものであることが確認された。これに対し、比較材の試料No.1〜6は、高温・高圧ガスタービンディスク材として要求される機械的特性を同時に満足出来ないものである。比較材の試料No.1、3、4及び5は（Ni量とCo量の差）の2乗の値がいずれも大きくなっており、NiとCoとにおいて一方の添加量が大きいことを示している。Ni添加量の大きい比較材のNo.1及びNo.5では、引張強さ及び加熱脆化前後の25℃Vノッチシャルピー衝撃値は満足するが、クリープ強度を満足できない。Co添加量の多い比較材No.3及びNo.4は、クリープ破断強度は満足するが、加熱脆化後の25℃Vノッチシャルピー衝撃値の低下が著しい。
【００４５】
Mo当量の｛Mo量/（Mo量+0.5W量）｝の値が0.5未満の試料No.3及びNo.6は、衝撃値が低い。Moの単独添加（W添加量＝0）の試料No.2はクリープ破断強度が低い。
【００４６】
【表２】
0003921574.tif 000003
【００４７】
さらに、表３に示す化学組成の試料を溶解及び鍛造によって製造し、同じ熱処理を行い実験に供した。試験結果を表４に示す。表４に示すように、本発明材の試料No.17〜19は高温・高圧ガスタービンディスク材として要求される室温引張強さが1180MPa以上、510℃、105時間クリープ破断強度が420MPa以上及び脆化処理後の25℃Vノッチシャルピー衝撃値が19.6J/cm2以上を充分満足する特性が得られることが確認された。これに対して、Bが過剰に添加された比較材の試料No.14及びNo.15は引張試験の伸び及び衝撃値が低く、高温・高圧ガスタービンディスク材として要求される機械的特性を同時に満足出来ない。また、Moの単独添加（W添加量＝0）の比較材の試料No.14は、クリープ強度がやや低い。Reを過剰添加した比較材の試料No.16は、引張強さ、クリープ強度は十分であるが、絞りの値が低かった。
【００４８】
【表３】
0003921574.tif 000004
【表４】
0003921574.tif 000005
【００４９】
図１は、クリープ破断強度と（Ni量とCo量の差）の２乗との関係を示す図である。図１に示すように、クリープ破断強度は（Ni量とCo量の差）の２乗の値が大きくなるに従って著しく低下する。特に、Ni量との関係が大きく、Ni量が1.0〜1.2％のものは2.2〜3.2％のものに比較して高いクリープ破断強度を有するが、高Niのものは（Ni量とCo量の差）の２乗の値が大きくなると急激にクリープ破断強度を低下させる。
【００５０】
特に、Co量がNi量より多い場合には、クリープ強度の低下が僅かであり、（Ni量とCo量の差）の２乗の値による影響は小さい。
【００５１】
図２は、図１の関係から、510℃、105時間クリープ破断強度が420MPa以上を有する（Ni量とCo量の差）の２乗の値とNi量との関係を示す線図である。前述のように、クリープ破断強度は（Ni量とCo量の差）の２乗とNi量との間に密接な関係を有するものであり、本発明の組成を有する合金においては、（Ni量とCo量の差）の2乗で求められる値とNi量との関係で表わされる値が点Ａ（1.0、2.7％）及び点Ｂ（2.5、1.0％）の各点を直線で結んで得られる値以下にすることにより420MPa以上のクリープ破断強度が得られるものである。
【００５２】
図3は、脆化処理後の25℃Vノッチシャルピー衝撃値と（W量/Mo量）比との関係を示す線図である。図３に示すように、その衝撃値は（W量/Mo量）比が大きくなるに従って急激に低下する。その衝撃値はMn量が0.15％のものに対して0.32〜0.4％と多いほど高く、更に高C量ほど高い。更に、いずれも（W量/Mo量）比が大きくなるにつれてその衝撃値はいずれのMn量においても顕著に低下する。
【００５３】
図4は脆化処理後の25℃Vノッチシャルピー衝撃値が19.6J/Cm2以上の値を有する（W量/Mo量）比とMn量との関係を示す線図である。図４に示すように、本発明の組成を有する合金においてC量として0.17％以下においては、（W量/Mo量）比とMn量との関係で表わされる点Ｃ（1.3、0.15％）及び点Ｄ（2.5、0.37％）の各点を直線で結んで得られる値以下にすることにより19.6J/cm2以上の25℃Vノッチシャルピー衝撃値が得られるものである。
【００５４】
図５は、脆化処理後の25℃Vノッチシャルピー衝撃値と（Mo量/Mo量+0.5W量）比との関係を示す線図である。図5に示すように、その比をより大きくすることにより高温長時間加熱後においても高い靭性が得られるものである。その衝撃値はMn量が0.15％のものに対して0.32〜0.4％と多いほど、更に高C量ほど高く、（Mo量/Mo量+0.5W量）比が大きくなるにつれて高くなる。Mn量が0.15％のものはC量が0.15％以下のものであり、Mn量が0.32〜0.4％のものがC量が0.11〜0.17％のものである。
【００５５】
図６は、脆化処理後の25℃Vノッチシャルピー衝撃値が19.6J/Cm2以上が得られる（Mo量/Mo量+0.5W量）とMn量との関係を示す線図である。本発明の組成を有する合金においてC量として0.17％以下においては、これらの関係で表わされる点Ｅ（0.25、0.4％）及び点Ｆ（0.7、0.15％）の各点を直線で結んで得られる値以上とすることにより前述の衝撃値が得られるものである。
【００５６】
（実施例２）
図７は空気冷却方式を有する空気圧縮型3段タービンのタービン上半部の断面図である。図７に示すように、本実施例のガスタービンは、ケーシング80、圧縮機ロータ2と外周部の翼列からなる圧縮機、燃焼器84、タービンノズル81〜83及びタ―ビンブレード51〜53が交互に配置され、タービンロータ1等によって構成されている。タ一ビンロータ1は3個のタービンディスク11、12、13及びタービンスタブシャフト4を有し、高速回転体として密着結合されている。各タービンデイスクの外周にはタービンブレード51〜53が植設されているほか、デイスタントピース3を介して圧縮機ロータ2、コンプレッサスタブシャフトに連結されており、軸受によって回転支持されている。かかる構成において、圧縮機で圧縮された空気を用いて燃焼器84で生成された高温・高圧の作動ガスが、膨脹しながら流れることによってタービンロータ1が回転され、動力が発生される。タービン部を出た燃焼ガスは排熱回収ボイラ(HRSG)に送られ、それにより水蒸気が作られる。
【００５７】
図示されていない部分もあるが、本実施例におけるガスタービンの主な構成は前述の他、更に、タービンスタブシャフト4、タービンスタッキングボルト5、タービンスペーサ18、デイスタントピース3、コンプレッサディスク17、コンプレッサブレード、コンプレッサスタツキングボルト、コンプレッサスタブシャフトを有し、コンプレツサディスク17が17段以上、タービンブレードが3段である。4段に対しても同様に実施できる。
【００５８】
本実施例では、圧縮機にて圧縮された空気を用いて、図７中に矢印で示した空気の流れによって各部品が冷却される。初段タービンノズル81、第2段タービンノズル82では空気は外側のサイドゥオールよリ流入し、翼部よリ排出される。第2段タービンノズル82は内側のサイドゥオールに渡って冷却される。第3段タービンノズル83では空気は外側のサイドゥオールよリ流入し、内側のサイドゥオールよリ出てスペーサ部分より外側に排出される。初段タービンブレード51は圧縮された空気がタービンディスク11の中心部からその側壁を通り、スペーサ18部分を通って、ブレード内部に設けられた冷却孔を通ってその先端と翼部のトレーリング部より排出されることによりブレード及びディスクがともに冷却される。ブレードにおいてはそのシャンク部に設けられたシールフインによリ燃焼ガスが内部に流入しないようシールされる。第2段タービンブレード52も同様にタービンディスク12からスペーサ18を通ってブレード内部に設けられた冷却孔を通って先端部よリ排出され、冷却される。第3段タービンブレード53には冷却孔はないが、タービンディスク13の中心部からその側壁を通り、シールフィンを通ってこれらを冷却しながら燃焼ガスと共に排熱回収ボイラに入リ、そこで水蒸気が形成され、蒸気タービンの動力源となる。
【００５９】
本実施例におけるタービンディスク1l、12、13に用いる材料として実施例１の表１に示すNo.10の組成の大型試料を溶解し、1150℃に加熱し鍛造して実験素材とした。この素材を、1050℃で8h加熱後衝風冷却を行い、冷却温度を150℃で止め、その温度より580℃で12h加熱後空冷の2次焼戻しを行い、次いで605℃で5h加熱後炉冷の2次焼戻しを行った。熱処理後の素材からクリープ破断試験片、引張試験片及びVノッチシャルピー衝撃試験片を採取し実験に供した。衝撃試験は熱処理のままの材料を実施例１と同様の加熱脆化材について行った。本実施例におけるこれらの特性は実施例１と同等の特性を有するものであった。
【００６０】
本実施例ではタービンデイスク11、12、13の他、ディスタントピース3、タービンスタッキングボルト5にも実施例1に示したNo.7〜13、No.17〜19の全焼戻しマルテンサイト鋼をいずれも使用可能である。
【００６１】
また、これらのマルテンサイト鋼はフェライト系の結晶構造を持つが、フェライト系材料は、Ni基合金のようなオーステナイト系材料に比べて熱膨脹率が小さい。タービンディスクにNi基合金を用いるよりも耐熱鋼を使用する本実施例の方が、更にディスク材の熱脹張率が小さいのでディスクに発生する熱応力を低減し、亀裂の発生、破壊を抑制できる。コンプレッサーブレードは17段で、得られる空気圧縮比は18である。
【００６２】
更に、本実施例においては、ガスタービンの初段タービンノズル81及び初段タービンブレード51にはNi基超合金が用いられ、燃焼ガス温度によって1300℃級には多結晶鋳造物、1500℃級にはその単結晶鋳造物が用いられる。単結晶鋳造物には、重量でCr4〜10%、Mo0.5〜1.5%、W4〜10%、Re1〜4%、Al3〜6%、Ta4〜10%、Co0.5〜10%及びHf0.03〜0.2%を有するNi基超合金、多結晶鋳造物にはCr10〜15％を有するこれと同等の合金が用いられる。
【００６３】
第2段タービンノズルおよび第3段タービンノズルには重量で、Cr21〜24%、Co18〜23%、C0.05〜O.20%、W1〜8%、Al1〜2%、Ti2〜3%、Ta0.5〜1.5%及びBO.05〜0.15%を含有するNi基超合金で構成する。これらのノズルは通常の鋳造により得られる等軸晶組織である。
【００６４】
第２段タービンブレード52及び第３段タービンブレード53には、Ni基超合金が用いられ、燃焼ガス温度によって1300℃級には多結晶鋳造物、1500℃級にはその一方向凝固柱状晶Ni基超合金鋳造物が用いられる。いずれも重量で、Cr5〜18%、Mo0.3〜6%、W2〜10%、Al2.5〜6%、Ti0.5〜5%、Ta1〜4%、NbO.1〜3%、Co0〜10%、C０.05〜0.21%、B0.005〜O.025%、HfO.03〜2%、Re0.1〜5%を有するNi基超合金で構成する。一方向凝固柱状晶Ni基超合金のブレードは全体が一方向に先端部からダブティルの方向に凝固させることにより得られる。
【００６５】
本実施例においては、高強度化及び加熱脆化においても高い靭性を有するため、それによって特にタービンデイスクの材料温度を高く設定することができるので前述の冷却を少なくでき、更に前述の使用部材の薄肉化、小径化が可能となり軽量化も達成され、起動特性が向上する。
【００６６】
以上の構成によって、総合的により信頼性が高くバランスされたガスタービンが得られ、使用燃料として、天然ガス、軽油等を使用し、初段タービンノズルヘのガス入り口温度が1500℃、初段タ一ビンブレードのメタル温度が900℃、ガスタービンの排ガス温度は650℃であり、発電効率がLHV表示で37%以上の発電用ガスタービンが達成できる。又、初段タービンノズルヘのガス入り口温度が1300℃においても同様である。
【００６７】
又、本実施例では、ガスタービン1台と初段タービンブレードへの蒸気入口温度566℃の高中低圧一体型蒸気タ一ビン１台との各々に発電機を備えた組合せの多軸型コンバインドサイクル発電システムを構成することができ、より高い発電効率を得ることができる。
【００６８】
【発明の効果】
本発明によれば、高効率高温ガスタービンとしてガス温度1300〜1500℃級における特にタービンディスクに要求されるクリープ破断強度及び加熱脆化後の衝撃値が高いものが得られる。さらに、加熱脆化域の高温に晒されるタービンスタッキングボルト、タービンスペーサ、ディスタントピースへの適用も可能である。従って、本発明により、ガスタービン発電プラントの燃焼温度並びに部材温度を上げることができるので、高温部における冷却を少なくできること、更に一方では回転部の軽量化も達成できるので、一層の高効率化が達成される。そして、化石燃料の節約、排出ガスの発生量を抑えることが可能となり、地球環境保全にも貢献できる。
【図面の簡単な説明】
【図１】  クリープ破断強度と（Ni量とCo量の差）の２乗との関係を示す図である。
【図２】  図１の関係から、510℃、105時間クリープ破断強度が420MPa以上を有するNi量と（Ni量とCo量の差）の２乗の値との関係を示す線図である。
【図３】  脆化処理後の25℃Vノッチシャルピー衝撃値と（W量/Mo量）比との関係を示す線図である。
【図４】  脆化処理後の25℃Vノッチシャルピー衝撃値が19.6J/cm2以上の値を有する（W量/Mo量）比とMn量との関係を示す線図である。
【図５】  脆化処理後の25℃Vノッチシャルピー衝撃値と（Mo量/Mo量+0.5W量）比との関係を示す線図である。
【図６】  脆化処理後の25℃Vノッチシャルピー衝撃値が19.6J/cm2以上が得られる（Mo量/Mo量+0.5W量）とMn量との関係を示す線図である。
【図７】  本発明に係るガスタービンの回転部の断面図である。
【符号の説明】
1…タービンロータ、2…コンプレッサロータ、3…ディスタントピース、4…タービンスタブシャフト、5…タービンスタッキングボルト、11、12、13…タービンディスク、17…コンプレッサディスク、81、82、83…静翼、51、52、53…動翼、18…タービンスペーサ、80…ケーシング、84…燃焼器。
【図１】
0003921574.tif 000006
【図２】
0003921574.tif 000007
【図３】
0003921574.tif 000008
【図４】
0003921574.tif 000009
【図５】
0003921574.tif 000010
【図６】
0003921574.tif 000011
【図７】
0003921574.tif 000012